(57)【特許請求の範囲】
【請求項１】
写真台紙を形成したときにその写真台紙の天側となる方向から、その反対方向である地側に延びるように形成された第一折曲部において折り曲げて二つ折り可能な芯紙と、
写真等の画像が印刷され前記第一折曲部を跨ぐように前記芯紙のおもて面である上面に貼着される印画紙と、
天側から地側に延びる断面略Ｕ字状の第一溝部が上面に形成されるとともに前記第一溝部に前記第一折曲部が相対向するように前記芯紙が配置されて前記芯紙の裏面である下面に貼着される表紙と、を備える写真台紙であって、
前記第一溝部内にシート状のゴム様弾性体を貼着し補強したことを特徴とする写真台紙。
【請求項２】
写真台紙を形成したときにその写真台紙の天側となる方向から、その反対方向である地側に延びるように形成された第一折曲部及び第二折曲部において折り曲げて三つ折り可能な芯紙と、
写真等の画像が印刷され前記芯紙のおもて面である上面に前記第一折曲部及び前記第二折曲部を跨ぐように貼着される印画紙と、
天側から地側に延びる断面略Ｕ字状の第一溝部と，天側から地側に延び前記第一折曲部と前記第二折曲部との距離だけ前記第一溝部から離間するとともに前記第一溝部より幅広でかつ深さも深い第二溝部と，が上面に形成され、前記第一溝部に前記第一折曲部が相対向しかつ前記第二溝部に前記第二折曲部が相対向するように前記芯紙が配置されて前記芯紙の裏面である下面に貼着される表紙と、を備える写真台紙であって、
前記第一溝部内にシート状のゴム様弾性体を貼着し補強したことを特徴とする写真台紙。
【請求項３】
前記ゴム様弾性体を前記第一溝部内に天側から地側へ一連に貼着したことを特徴とする請求項１又は２に記載の写真台紙。
【請求項４】
前記第一折曲部で前記芯紙を折り曲げた状態において、前記第一折曲部が前記ゴム様弾性体から離間していることを特徴とする請求項１乃至３のうちいずれか一つに記載の写真台紙。
【請求項５】
前記芯紙の第一折曲部の下面から上面側に向かってスリットを刻設し、しかも前記スリットは天側から地側へ延びることを特徴とする請求項１乃至４のうちいずれか一つに記載の写真台紙。
【発明の詳細な説明】
【技術分野】
【０００１】
本発明は、芯紙の上面に印画紙が貼着され、芯紙の下面には表紙が貼着される写真台紙に関するものである。
【背景技術】
【０００２】
結婚式や七五三等の記念の行事においてはプロのカメラマンに写真を撮ってもらうことが多く、また最近ではデジタルカメラが個人にも広く普及しているので、それらの行事のときに個人で写真を撮影することも少なくない。
そのような記念写真は、通常のスナップ写真を保存する場合に比べて高級な写真台紙で保存することが一般的であり、この写真台紙としてはアルバム台紙の他に、図５に示すような写真台紙１００が知られている（例えば、特許文献１参照）。
【先行技術文献】
【特許文献】
【０００３】
【特許文献１】実用新案登録第３０８７１３３号公報
【０００４】
この写真台紙１００は、開状態において横長の矩形状であって、第一折曲部１１及び第二折曲部１２を有する芯紙１０と、芯紙１０の上面に貼着される印画紙２０と、芯紙１０の下面に貼着される表紙３０を備え、第一折曲部１１及び第二折曲部１２において三つ折り可能である。
表紙３０には、図６に示すように、第一折曲部１１の位置に対応して断面略Ｕ字状の第一溝部３３が、第二折曲部１２の位置に対応して断面略コ字状の第二溝部３４がそれぞれ形成されている。言い換えると、写真台紙１００の第一面１０１と第三面１０３との境界部分が第一折曲部１１と第一溝部３３であり、写真台紙１００の第二面１０２と第三面１０３との境界部分が第二折曲部１２と第二溝部３４である。
表紙３０に第一溝部３３及び第二溝部３４を形成したのは、折り曲げ時において表紙３０側に突出する第一折曲部１１や第二折曲部１２の「逃げ」となり、表紙３０に押圧され潰れてしまわないようにするためである。
【０００５】
写真台紙１００を本棚等に収納するときや持ち運ぶときには、印画紙２０が貼着された面が内側になるように、まず第一面１０１を中央の第三面１０３に重ね合わせて、次に第二面１０２を第三面１０３に重ね合わせ、閉状態とする。
【発明の概要】
【発明が解決しようとする課題】
【０００６】
しかしながら、写真台紙１００を閉状態とすることで、印画紙２０に天側から地側に皺Ｓが発生してしまうという問題がある。
すなわち、図７に示すように印画紙２０同士が接触するほど近接するので、折り曲げ部分における印画紙２０の曲率半径が小さくなり、折れ目（皺Ｓ）となってしまう。
【０００７】
このように生じる皺Ｓに写真の顔や体の部分が掛かると記念の写真が台無しになってしまうので、写真の顔の部分が折曲部を跨がないようにレイアウトする必要がある等、画像のレイアウトが制限されてしまう。
【０００８】
そこで、本発明の目的とするところは、折り曲げ時に印画紙に皺が発生し難い写真台紙を提供することにある。
【課題を解決するための手段】
【０００９】
上記の目的を達成するために、本発明の請求項１に記載の写真台紙（２００）は、写真台紙を形成したときにその写真台紙の天側となる方向から、その反対方向である地側に延びるように形成された第一折曲部（１１）において折り曲げて二つ折り可能な芯紙（１０）と、写真等の画像が印刷され前記第一折曲部（１１）を跨ぐように前記芯紙（１０）のおもて面である上面に貼着される印画紙（２０）と、天側から地側に延びる断面略Ｕ字状の第一溝部（３３）が上面に形成されるとともに前記第一溝部（３３）に前記第一折曲部（１１）が相対向するように前記芯紙（１０）が配置されて前記芯紙（１０）の裏面である下面に貼着される表紙（３０）と、を備える写真台紙（２００）であって、前記第一溝部（３３）内にシート状のゴム様弾性体（３５）を貼着し補強したことを特徴とする。
【００１０】
また、請求項２に記載の写真台紙（２００）は、写真台紙を形成したときにその写真台紙の天側となる方向から、その反対方向である地側に延びるように形成された第一折曲部（１１）及び第二折曲部（１２）において折り曲げて三つ折り可能な芯紙（１０）と、写真等の画像が印刷され前記芯紙（１０）のおもて面である上面に前記第一折曲部（１１）及び前記第二折曲部（１２）を跨ぐように貼着される印画紙（２０）と、天側から地側に延びる断面略Ｕ字状の第一溝部（３３）と，天側から地側に延び前記第一折曲部（１１）と前記第二折曲部（１２）との距離だけ前記第一溝部（３３）から離間するとともに前記第一溝部（３３）より幅広でかつ深さも深い第二溝部（３４）と，が上面に形成され、前記第一溝部（３３）に前記第一折曲部（１１）が相対向しかつ前記第二溝部（３４）に前記第二折曲部（１２）が相対向するように前記芯紙（１０）が配置されて前記芯紙（１０）の裏面である下面に貼着される表紙（３０）と、を備える写真台紙（２００）であって、前記第一溝部（３３）内にシート状のゴム様弾性体（３５）を貼着し補強したことを特徴とする。
【００１１】
また、請求項３に記載の写真台紙（２００）は、前記ゴム様弾性体（３５）を前記第一溝部（３３）内に天側から地側へ一連に貼着したことを特徴とする。
【００１２】
また、請求項４に記載の写真台紙（２００）は、前記第一折曲部（１１）で前記芯紙（１０）を折り曲げた状態において、前記第一折曲部（１１）が前記ゴム様弾性体（３５）から離間していることを特徴とする。
【００１３】
また、請求項５に記載の写真台紙（２００）は、前記芯紙（１０）の第一折曲部（１１）の下面から上面側に向かってスリット（１３）を刻設し、しかも前記スリット（１３）は天側から地側へ延びることを特徴とする。
【００１４】
ここで、上記括弧内の記号は、図面および後述する発明を実施するための形態に掲載された対応要素または対応事項を示す。
【発明の効果】
【００１５】
本発明の請求項１に記載の写真台紙によれば、第一溝部内にシート状のゴム様弾性体を貼着し補強したので、折り曲げ時に第一溝部において表紙が厚さ方向に潰れ難くなる。それに伴い、向かい合う印画紙同士の距離を従来例よりも広く保つことができるので、印画紙の折り曲げ部分の曲率半径も従来例よりも大きくなり、印画紙に皺が発生し難い。
【００１６】
また、請求項２に記載の写真台紙によれば、三つ折り可能な写真台紙においても、第一溝部内にシート状のゴム様弾性体を貼着し補強したので、二つ折り可能な請求項１に記載の写真台紙と同様に、折り曲げ時に第一溝部において表紙が厚さ方向に潰れ難くなる。それに伴い、向かい合う印画紙同士の距離を従来例よりも広く保つことができるので、印画紙の折り曲げ部分の曲率半径も従来例よりも大きくなり、印画紙に皺が発生し難い。
【００１７】
また、請求項３に記載の写真台紙によれば、請求項１又は２に記載の発明の作用効果に加え、ゴム様弾性体を第一溝部内に天側から地側へ一連に貼着したので、第一溝部を確実に補強でき、印画紙に皺がより発生し難い。
【００１８】
また、請求項４に記載の写真台紙によれば、請求項１乃至３に記載の発明の作用効果に加え、第一折曲部で芯紙を折り曲げた状態において、第一折曲部がゴム様弾性体から離間しているので、第一折曲部がゴム様弾性体から押圧されない。よって、ゴム様弾性体からの押圧力による第一折曲部の変形がないので、第一折曲部に貼着された印画紙にも皺が発生し難い。
【００１９】
また、請求項５に記載の写真台紙によれば、請求項１乃至４に記載の発明の作用効果に加え、芯紙の第一折曲部の下面から上面側に向かってスリットを刻設し、しかもスリットは天側から地側へ延びるので、折り曲げたときにスリットが広がり、折り曲げ易い。
【００２０】
なお、本発明の写真台紙のように、第一溝部内にシート状のゴム様弾性体を貼着し補強する点は、上述した特許文献１には全く記載されていない。
【図面の簡単な説明】
【００２１】
【図１】本発明の実施形態に係る写真台紙を示す平面図である。
【図２】本発明の実施形態に係る写真台紙を示す、図１のＡ−Ａ線拡大断面図である。
【図３】本発明の実施形態に係る写真台紙を示す、印画紙を折り曲げた状態を示す要部拡大断面図である。
【図４】本発明の実施形態に係る写真台紙を示す斜視図である。
【図５】従来例に係る写真台紙を示す斜視図である。
【図６】従来例に係る写真台紙における第一溝部及び第一折曲部を示す拡大断面図である。
【図７】従来例に係る写真台紙における印画紙を折り曲げたときの第一溝部及び第一折曲部を示す拡大断面図である。
【発明を実施するための形態】
【００２２】
図１乃至図４を参照して、本発明の実施形態に係る写真台紙２００を説明する。
この写真台紙２００は、三つ折り可能ないわゆる三面台紙であって、芯紙１０と、印画紙２０と、表紙３０と、を備え、特に表紙３０に特徴を有する。
この写真台紙２００の三面のうち、右側の面を第一面２０１、左側の面を第二面２０２、中央の面を第三面２０３と呼んだときに、本実施形態では第三面２０３よりも第一面２０１が先に折り畳まれるものである。
なお、従来例で示したものと同一部分には同一符号を付した。
【００２３】
芯紙１０は、印画紙２０の下地となる横長の矩形状の紙で、その厚さは印画紙２０の厚さよりも厚く、表紙３０の厚さよりも薄い。
芯紙１０の右端から芯紙１０の横幅の略１／３の位置には、第一折曲部１１が天側から地側に延びるように形成されるとともに、芯紙１０の左端から芯紙１０の横幅の略１／３の位置には、第二折曲部１２が天側から地側に延びるように形成される。
また、芯紙１０の第一折曲部１１及び第二折曲部１２には、天側から地側に延びる複数のスリット１３がそれぞれ芯紙１０の下面から上面側に向かって刻設されてなる。
【００２４】
詳しくは、図２に示すようにスリット１３は芯紙１０の下面から刃物を垂直に入れて形成されるもので、写真台紙２００を完全に開いた状態ではほとんどスリット１３は幅を有さず、閉じている。スリット１３の深さは芯紙１０の厚さの１／２〜２／３である。
また、スリット１３が形成された領域の幅は、後述する隣接する下地材３１間の距離よりも広くした。
そして、このような第一折曲部１１及び第二折曲部１２において芯紙１０は折り曲げ可能で、本実施形態に係る写真台紙２００は三つ折りにされる。
また、芯紙１０の上面及び下面の両面には、印画紙２０や表紙３０を貼着するための粘着剤がそれぞれ施されている。
【００２５】
印画紙２０は、芯紙１０と略等しい大きさの矩形状であって、上面には写真等の画像が印刷されている。
そして、印画紙２０は芯紙１０の上面に第一折曲部１１及び第二折曲部１２を跨ぐように貼着される。つまり、印画紙２０は芯紙１０の上面全面を上から覆うように貼着され、芯紙１０の第一折曲部１１及び第二折曲部１２の上面全面が印画紙２０に貼着されている。
【００２６】
表紙３０は、それぞれの横幅が芯紙１０の略１／３である三枚の下地材３１と、芯紙１０よりも一回り大きいカバー材３２からなる。
下地材３１の厚さはカバー材３２や芯紙１０よりも厚く、下地材３１は互いに離間して左右に並べられるとともに、下地材３１の下面がカバー材３２の上面に貼着される。そして、下地材３１の外方にはみ出したカバー材３２の縁部全周が上方に折り返され、下地材３１の上面縁部に貼着されている。
また、隣接する下地材３１間においてはカバー材３２を凹ませて、天側から地側に延びる断面略Ｕ字状の第一溝部３３と、同じく天側から地側に延びる断面略コ字状の第二溝部３４を形成した。
【００２７】
第二溝部３４は、芯紙１０の第一折曲部１１と第二折曲部１２との距離だけ第一溝部３３から離間するとともに第一溝部３３より幅広でかつ深さも深くなっている。
つまり、表紙３０全体で見ると、第一溝部３３及び第二溝部３４は表紙３０の上面に形成されている。なお、本実施形態においては右側が第一溝部３３に、左側が第二溝部３４になっている。
また、第一溝部３３に第一折曲部１１が相対向しかつ第二溝部３４に第二折曲部１２が相対向するように芯紙１０を配置し、表紙３０の上面（下地材３１の上面）を芯紙１０の下面に貼着した。
【００２８】
そして、シート状（テープ状）のゴム様弾性体３５を第一溝部３３内に天側から地側へ一連に貼着し、第一溝部３３を補強した。ゴム様弾性体３５としては、曲げ易くかつ折れ難い（折れてしまわない）弾性力を有するものが採用され、ゴムに限られるものではない。
このとき、第一溝部３３が断面略Ｕ字状になっているので、第一溝部３３内に貼着されたゴム様弾性体３５も断面略Ｕ字状となり、ゴム様弾性体３５、下地材３１、及び芯紙１０で囲まれた空隙が形成される。その空隙も天側から地側に延びている。
ここで、図３に示すように、第一折曲部１１で芯紙１０を折り曲げた状態において、第一折曲部１１はゴム様弾性体３５から離間している。
【００２９】
以上のように構成された写真台紙２００によれば、第一溝部３３内にシート状のゴム様弾性体３５を貼着し補強したので、図３に示すように折り曲げ時に第一溝部３３において表紙３０が厚さ方向に潰れ難くなる。それに伴い、向かい合う印画紙２０同士の距離を従来例よりも広く保つことができるので、印画紙２０の折り曲げ部分の曲率半径も従来例よりも大きくなり、図４に示すように印画紙２０に皺Ｓ（折れ目）が発生し難い。
また、ゴム様弾性体３５を第一溝部３３内に天側から地側へ一連に貼着したので、第一溝部３３を確実に補強でき、印画紙２０に皺Ｓがより発生し難い。
【００３０】
また、第一折曲部１１で芯紙１０を折り曲げた状態において（図３）、第一折曲部１１がゴム様弾性体３５から離間しているので、第一折曲部１１がゴム様弾性体３５から押圧されない。よって、ゴム様弾性体３５からの押圧力による第一折曲部１１の変形がないので、第一折曲部１１に貼着された印画紙２０にも皺Ｓが発生し難い。
しかも、芯紙１０の第一折曲部１１の下面から上面側に向かってスリット１３を刻設し、しかもスリット１３は天側から地側へ延びるので、図３に示すように折り曲げたときにスリット１３が広がり、折り曲げ易い。
【００３１】
なお、本実施形態において、写真台紙２００は三面台紙としたが、これに限られるものではなく、二面台紙であってもよい。すなわち、本実施形態の写真台紙２００の第一面２０１及び第三面２０３からなる写真台紙２００であってもよい。
【００３２】
また、ゴム様弾性体３５を第一溝部３３内に天側から地側へ一連に貼着したが、これに限られるものではなく、第一溝部３３内に天側から地側へ所定間隔を空けて複数のゴム様弾性体３５を貼着してもよい。
【００３３】
また、第一折曲部１１で芯紙１０を折り曲げた状態において、第一折曲部１１がゴム様弾性体３５から離間しているとしたが、これに限られるものではない。
【００３４】
さらに、芯紙１０の第一折曲部１１の下面から上面側に向かってスリット１３を刻設したが、これに限られるものではない。
また、表紙３０が下地材３１とカバー材３２の二部材からなるとしたが、一部材からなる表紙３０であってもよいし、三部材以上からなるものであってもよい。
【符号の説明】
【００３５】
１０      芯紙
１１      第一折曲部
１２      第二折曲部
１３      スリット
２０      印画紙
３０      表紙
３１      下地材
３２      カバー材
３３      第一溝部
３４      第二溝部
３５      ゴム様弾性体
１００      写真台紙
１０１      第一面
１０２      第二面
１０３      第三面
２００      写真台紙
２０１      第一面
２０２      第二面
２０３      第三面
Ｓ      皺
【図１】
0006042831.tif 000002
【図２】
0006042831.tif 000003
【図３】
0006042831.tif 000004
【図４】
0006042831.tif 000005
【図５】
0006042831.tif 000006
【図６】
0006042831.tif 000007
【図７】
0006042831.tif 000008